(57)【要約】【課題】  転写ベルト方式では、感光体の径が大きい高速機においては用紙が感光体ドラムから分離できず、感光体ドラムに張り付くドラムラップ現象が発生して、用紙搬送の信頼性に欠ける。【解決手段】  トナー像担持体に被転写材を介して転写材を押し当て、該転写材の裏面にトナーと逆極性の電荷を転写器により付与することによって被転写材を吸着搬送し、像担持体上に形成したトナー像を転写搬送する転写装置と、転写ベルトに用紙を吸着させる吸着ローラとを備えた画像形成装置において、前記吸着ローラを感光体ドラムとベルト従動ローラ間に設置し、前記転写ベルトに圧接することを特徴とする。【選択図】図１
2005196048.tif 000002
【特許請求の範囲】
【請求項１】
トナー像担持体に被転写材を介して転写材を押し当て、該転写材の裏面にトナーと逆極性の電荷を転写器により付与することによって被転写材を吸着搬送し、像担持体上に形成したトナー像を転写搬送する転写装置と、転写ベルトに用紙を吸着させる吸着ローラとを備えた画像形成装置において、前記吸着ローラを感光体ドラムとベルト従動ローラ間に設置し、前記転写ベルトに圧接することを特徴とした画像形成装置。
【請求項２】
前記吸着ローラを板バネ等の弾性体で支持したことを特徴とする請求項１記載の画像形成装置。
【発明の詳細な説明】
【技術分野】
【０００１】
本発明は、電子写真法を用いる複写機、レーザプリンタ等の画像形成装置に関するものである。
【背景技術】
【０００２】
電子写真法を用いるカット紙レーザプリンタや複写機の転写装置では、用紙の搬送と転写の目的を兼ねて、誘電体ベルトを用いる転写ベルト方式があり、転写ベルト表面に電荷を誘起させて、この電荷で用紙を吸着搬送し、感光体上に形成された画像を用紙に転写する。
【０００３】
従来のコロトロン転写方式、及び近年多用されている転写ローラ方式と比較すると、用紙種類に関わらず、用紙の先端から後端まで均一に転写することができる上、転写後の用紙を搬送する機能も兼ね備えているので、感光体から分離し、定着まで搬送する機構部が不要になるという利点がある。
【０００４】
しかしながら、この方式では、用紙を転写ベルトに吸着した状態で感光体上のトナー画像を転写するため、感光体の径が大きい高速機では、用紙が感光体から分離できず、感光体に張り付いてしまうドラムラップ現象が発生することがある。
【０００５】
このドラムラップ現象には、転写ベルト物性値や転写条件をはじめ、様々な要因が関与しているが、用紙の状態によって発生することが多く、特に用紙の切断状態が悪く、端部が変形しているものや吸湿によって変形しているもので発生しやすいことが知られている。
【０００６】
近年、各省庁、企業では、上質紙に代わり、地球環境に配慮したリサイクル用紙が用いられているが、リサイクル用紙は、古紙パルプを使用しているため、切断や吸湿によって変形しやすく、上質紙と比べるとドラムラップが発生しやすくなる傾向がある。
【０００７】
従来、用紙の転写ベルトへの吸着力を上げてドラムラップを防止するため、図２のように、弾性ブラシ９をベルト従動ローラ１１上に配置し、弾性ブラシ１９に吸着バイアス電圧を印加する方式（例えば、特許文献１参照）や、吸着ローラ２０をベルト従動ローラ１１上に配置し、吸着ローラ２０に吸着バイアス電圧を印加する方式（例えば、特許文献２参照）が提案されている。なお、図２、３において、１は感光体ドラム、６は用紙、９は転写ベルト、１２はガイドローラ、１３は転写器を示す。
【０００８】
【特許文献１】特開平０３−１９４５７６号公報
【０００９】
【特許文献２】特開平０９−２２２８０８号公報
【発明の開示】
【発明が解決しようとする課題】
【００１０】
しかしながら、ベルト従動ローラ上に圧接した位置に弾性ブラシや吸着ローラを配置する方式では、圧接するベルト従動ローラは円筒形状の剛性体であるために厚みの異なる各種用紙に対して抵抗力や搬送力が不均一となり、印刷位置不良（スキュー）や転写時の印刷ぶれ等の印刷品質不良が起こる場合がある。また、弾性ブラシや吸着ローラに吸着バイアス電圧を印加する方式では部品コストが高くなるという欠点がある。
【００１１】
本発明は、用紙厚みの影響のない簡単な構成でドラムラップの発生を防ぎ、信頼性の高い、安定した画像形成装置を提供することを目的とする。
【課題を解決するための手段】
【００１２】
上記目的は、トナー像担持体に被転写材を介して転写材を押し当て、該転写材の裏面にトナーと逆極性の電荷を転写器により付与することによって被転写材を吸着搬送し、像担持体上に形成したトナー像を転写搬送する転写装置と、転写ベルトに用紙を吸着させる吸着ローラとを備えた画像形成装置において、前記吸着ローラを感光体ドラムとベルト従動ローラ間に設置し、前記転写ベルトに圧接させることによって達成される。
【発明の効果】
【００１３】
本発明によれば、転写ベルトの部品コスト、装置の構成を複雑にすることなく、ドラムラップを防止することができる。
【００１４】
また、吸着ローラを弾性部材で支持することにより、厚みが異なる各種用紙に対してもの支持部の弾性力と、転写ベルトの伸び等の弾性によって厚みの違いを吸収し、抵抗力や搬送力が均一となって信頼性の高い、安定した用紙搬送を達成できる。
【発明を実施するための最良の形態】
【００１５】
本発明を、電子写真法を用いるレーザプリンタに適用した実施例を図１を用いて以下説明する。
【００１６】
複写機、レーザプリンタ等で用いられている有機光導電体（ＯＰＣ）の場合、感光体ドラム１は、帯電器２のコロナ放電によって表面を−極性に帯電する。レーザプリンタで多用されている反転現像方式では、半導体レーザ等の光学系３によって、潜像が形成され、現像機４によって感光体ドラム１表面の電位と同極性である−極性トナー５を感光体ドラム１上に付着させる。詳細は、省略するが、用紙走行機構によって搬送された用紙６は、搬送ローラ７によってガイド板８まで案内され、ガイド板８によって、転写ベルト９に至る。転写ベルト９は、駆動ローラ１０と従動ローラ１１によって両端を支持され、駆動ローラ１０が回転することによって矢印方向に回転し、２本のガイドローラ１２によって感光体ドラム１に接触している。転写ベルト９内部の転写器１３から発生したコロナ放電によって、転写ベルト９表面にはトナー５と逆極性すなわち＋の電荷が発生し、この電荷によって用紙６は転写ベルト９に吸着され、トナー５を転写する。転写された用紙は、その後駆動ローラ１０に至り、除電器１４によって除電された後、転写ベルト９から分離され定着機１５で定着される。一方、転写後の残留した感光体ドラム１上のトナーは、プレチャージ１６、イレーズ１７を経てクリーナ１８で清掃される。
【００１７】
感光体ドラム１前のガイドローラ１２と従動ローラ１１との間には吸着ローラ２０が配置され、転写ベルト９のみに圧接している。吸着ローラ２０の支持部材は板バネ等の弾性部材で構成している。
【図面の簡単な説明】
【００１８】
【図１】本発明をレーザプリンタに適用した一実施例を示す構成図である。
【図２】従来技術を示す説明図である。
【図３】従来技術の他の例を示す説明図である。
【符号の説明】
【００１９】
１は感光体ドラム、２は帯電器、３は光学系、４は現像機、５はトナー、６は用紙、７は搬送ローラ、８はガイド板、９は転写ベルト、１０は駆動ローラ、１１は従動ローラ、１２はガイドローラ、１３は転写器、１４は除電器、１５；定着機、１６はプレチャージ、１７はイレーズランプ、１８はクリーナ、１９；弾性ブラシ、２０は吸着ローラである。
【図１】
2005196048.tif 000003
【図２】
2005196048.tif 000004
【図３】
2005196048.tif 000005